(57)【要約】【課題】取付け時のクリアランスが不要で且つ水平度の調整が容易なレンジフード取付具を提供する。【解決手段】このレンジフード取付具８０は、壁面取付金具３０を壁面に固定し、レンジフード本体１０に掛止具６０を固定し、この壁面取付金具３０と掛止具６０とを位置調整ネジ５０によって接続する。このため、壁面取付金具３０を上下方向にスライド移動させる必要が無く、取り付け位置にクリアランスを必要としない。従って、クリアランスが確保できない壁面であってもレンジフード本体１０を問題無く設置することができる。また、このレンジフード取付具８０は、位置調整ネジ５０側でレンジフード本体１０の水平度を調整することができる。これにより、レンジフード本体１０の水平度の調整を容易かつ高精度に行うことができる。【選択図】図１
2018128210.tif 000002
【特許請求の範囲】
【請求項１】
レンジフード本体を壁面に取り付けるためのレンジフード取付具であって、
水平部を備えた略Ｌ字状の取付部を両側に備えた壁面取付金具と、
前記水平部から垂下するとともに掛止位置を上下方向に移動可能な位置調整ネジと、
前記レンジフード本体に固定され上面に奥側から切り込まれたスリットを備えた略コ字状の掛止具と、を有し、
前記スリットに前記位置調整ネジを挿入し前記掛止具を上下方向に位置調整可能な状態で保持することを特徴とするレンジフード取付具。
【請求項２】
壁面取付金具の本体部が下に凸の略コ字状を呈するとともに、前記本体部の両側面の上辺から取付部の水平部が延び、前記水平部と前記本体部の側面とで形成されるコーナー空間に掛止具を保持し、さらに前記掛止具の下面が前記本体部の下面よりも下に位置することを特徴とする請求項１記載のレンジフード取付具。
【請求項３】
掛止具が内側に凸の略コ字状を呈するとともに、前記掛止具の奥端部には上側が開口した垂直面を備え、前記垂直面は壁面に前記掛止具を固定するためのネジ孔を有し、さらに、前記掛止具の上面奥端のスリットの両側には下方に屈曲した抜け止め片を有することを特徴とする請求項１または請求項２に記載のレンジフード取付具。
【発明の詳細な説明】
【技術分野】
【０００１】
本発明は、レンジフードを壁面に取り付けるためのレンジフード取付具に関するものである。
【背景技術】
【０００２】
レンジフードは、ガスコンロ、ＩＨクッキングヒータ等の加熱調理器具の上方に設置され、調理等で発生する煙、臭気、熱、水蒸気等の排煙を吸引、捕集して屋外等に排出するものである。そして、一般的なレンジフードの本体は、回転により排煙を吸引するファンと、このファンを回転させるモータと、排煙を捕集するフードとを基本構成として有している。また、レンジフードは天井に排気ダクトを有するアイランド型と壁面に排気ダクトを有する壁面取付型とに大別される。そして、従来の壁面取付型のレンジフードの取付金具としては、例えば［特許文献１］及び図５（ａ）に示すような垂直部６ｂと水平部６ａとを有する略Ｌ字形状の取付金具６が用いられる。この従来の取付金具６は、水平部６ａにレンジフード本体を固定するための本体固定孔４を有し、垂直部６ｂには下側が大径で上側が小径の略ダルマ形状の仮固定孔５と本固定孔５’とを有している。そして、この従来の取付金具６は以下のようにして使用する。
【０００３】
先ず、レンジフード本体１０の上面奥側には上記の取付金具６が水平部６ａの本体固定孔４を介して固定されている。次に、レンジフードを固定する壁面にビス７を頭部座面を浮かせた状態で仮固定する。次に、図５（ｂ）の破線で示すように、レンジフード本体１０を持ち上げて仮固定孔５の下側の大径部に仮固定したビス７の頭を通す。次に、レンジフード本体１０をゆっくりと下げて取付金具６を下方に移動させ、図５（ｂ）の実線で示すように、仮固定孔５の小径部にビス７のネジ部を引掛ける。そして、ビス７を本締めするとともに本固定孔５’をビスで止め、取付金具６を壁面に固定する。これにより、レンジフード本体１０が壁面に固定される。
【先行技術文献】
【特許文献】
【０００４】
【特許文献１】特開２０１２−２３７４６１号公報
【発明の概要】
【発明が解決しようとする課題】
【０００５】
しかしながら、従来の取付金具６による固定方法では、取付金具６を上下方向に移動させるための幅Ｌのクリアランスが必要となり、このクリアランスが確保できない壁面にはレンジフードを取付けることができないという問題点がある。また、レンジフード本体の水平度は基本的にビス７の位置に依存するため、レンジフード本体の水平度の調整のためにはビス７を打ち直す必要がある。
【０００６】
本発明は上記事情に鑑みてなされたものであり、取付け時のクリアランスが不要で且つ水平度の調整が容易なレンジフード取付具を提供することを目的とする。
【課題を解決するための手段】
【０００７】
本発明は、
（１）レンジフード本体１０を壁面１に取り付けるためのレンジフード取付具であって、
水平部４２を備えた略Ｌ字状の取付部４０を両側に備えた壁面取付金具３０と、前記水平部４２から垂下するとともに掛止位置を上下方向に移動可能な位置調整ネジ５０と、前記レンジフード本体１０に固定され上面６２に奥側から切り込まれたスリット６４を備えた略コ字状の掛止具６０と、を有し、
前記スリット６４に前記位置調整ネジ５０を挿入し前記掛止具６０を上下方向に位置調整可能な状態で保持することを特徴とするレンジフード取付具８０を提供することにより、上記課題を解決する。
（２）壁面取付金具３０の本体部３２が下に凸の略コ字状を呈するとともに、前記本体部３２の両側面３４の上辺から取付部４０の水平部４２が延び、前記水平部４２と前記本体部３２の側面３４とで形成されるコーナー空間Ｂに掛止具６０を保持し、さらに前記掛止具６０の下面６１が前記本体部３２の下面よりも下に位置することを特徴とする上記（１）記載のレンジフード取付具８０を提供することにより、上記課題を解決する。
（３）掛止具６０が内側に凸の略コ字状を呈するとともに、前記掛止具６０の奥端部には上側が開口した垂直面６６を備え、前記垂直面６６は壁面１に前記掛止具６０を固定するためのネジ孔６６ａを有し、さらに、前記掛止具６０の上面（６２）奥端のスリット６４の両側には下方に屈曲した抜け止め片６５を有することを特徴とする上記（１）または（２）に記載のレンジフード取付具８０を提供することにより、上記課題を解決する。
【発明の効果】
【０００８】
本発明に係るレンジフード取付具は、設置の前段階において壁面取付金具のみを壁面に固定する。このため、取り付け位置にクリアランスを必要とせず、クリアランスが確保できない壁面であってもレンジフードを問題無く設置することができる。また、本発明に係るレンジフード取付具は、位置調整ネジによって水平度の調整が可能である。このため、レンジフード本体の水平度の調整を容易かつ高精度に行うことができる。
【図面の簡単な説明】
【０００９】
【図１】本発明に係るレンジフード取付具の使用状態を示す図である。
【図２】本発明に係るレンジフード取付具の壁面取付金具及び位置調整ネジを説明する図である。
【図３】本発明に係るレンジフード取付具の掛止具を説明する図である。
【図４】本発明に係るレンジフード取付具の掛止状態を説明する図である。
【図５】従来のレンジフードの取付金具を説明する図である。
【発明を実施するための形態】
【００１０】
本発明に係るレンジフード取付具８０の実施の形態について図面に基づいて説明する。ここで、図１は本発明に係るレンジフード取付具８０の使用状態を示す図である。本発明に係るレンジフード取付具８０は、レンジフード本体１０を壁面１に取り付けるためのものであって、壁面１に固定する壁面取付金具３０と、レンジフード本体１０に固定される掛止具６０と、壁面取付金具３０と掛止具６０とを接続する位置調整ネジ５０と、を有している。
【００１１】
次に、本発明に係るレンジフード取付具８０の壁面取付金具３０の構成を図２（ａ）を用いて説明する。壁面取付金具３０は、本体部３２と、この本体部３２の両側に位置する取付部４０とで基本的に構成されている。そして、取付部４０は水平部４２と垂直部４４とを有する略Ｌ字状を呈する。また、水平部４２には位置調整ネジ５０が挿入する貫通孔４２ａが形成され、垂直部４４には壁面取付金具３０を壁面１に取り付けるためのネジ孔４４ａが形成されている。尚、貫通孔４２ａは位置調整ネジ５０のネジ部よりも若干大径に形成され、位置調整ネジ５０は貫通孔４２ａにより回転可能に保持される。また、壁面取付金具３０の本体部３２は下に凸の略コ字状を呈することが好ましく、この場合、本体部３２の両側面３４の上辺から取付部４０の水平部４２が延びることとなる。そして、本体部３２の側面３４と取付部４０の水平部４２とで形成されるコーナー空間Ｂに掛止具６０が位置する。尚、壁面取付金具３０は金属板で一体的に成形することが好ましい。
【００１２】
また、位置調整ネジ５０は、例えば周知のボルト５０ａ及びナット５０ｂで構成され、図２（ｂ）に示すように取付部４０の貫通孔４２ａに設置される。尚、貫通孔４２ａは前述のように位置調整ネジ５０のネジ部（ボルト５０ａのネジ部）よりも若干大径のため、位置調整ネジ５０は貫通孔４２ａにフリーな状態で設置され取付部４０の水平部４２から垂下する。また、位置調整ネジ５０はボルト５０ａを回すことで、ナット５０ｂの係合位置が上下方向に移動し、これにより位置調整ネジ５０の掛止位置が上下する。尚、ここでは位置調整ネジ５０として六角ボルト５０ａとナット５０ｂとを用いた例を示しているが、本発明はこれに限定される訳ではなく、上下方向に掛止位置を調整可能な周知のネジ部材を用いることができる。
【００１３】
次に、掛止具６０の構成を図３を用いて説明する。先ず、掛止具６０はレンジフード本体１０の上面奥側の左右に固定されるとともに、壁面取付金具３０の取付部４０に位置調整ネジ５０を介して掛止されレンジフード本体１０の位置決め及び固定を行うものである。そして、左右の掛止具６０は互いに対称で内側に凸の略コ字状を呈する。尚、掛止具６０も金属板で一体的に成形することが好ましい。また、掛止具６０の下面６１には掛止具６０をレンジフード本体１０に固定するためのネジ孔６１ａが形成され、上面６２にはこのネジ孔６１ａに挿入したビスをドライバーで回すためのドライバ孔６２ａが形成される。また、掛止具６０の上面６２には奥側から切り込まれたスリット６４が形成される。尚、スリット６４の切り込みの先端は取付部４０の貫通孔４２ａと略同等な位置となり、またスリット６４の幅は位置調整ネジ５０のネジ部の径と略同等かこれよりも若干大径とする。そして、このスリット６４には位置調整ネジ５０のネジ部が挿入される。また、スリット６４の両側の上面６２の奥辺、即ち掛止具６０の上面奥端のスリット６４の両側には、位置調整ネジ５０が容易に抜けないよう下方に屈曲した抜け止め片６５を形成することが好ましい。さらに、掛止具６０の奥端部には例えば下面６１から上方向に屈曲した垂直面６６を有し、この垂直面６６には掛止具６０を壁面１に固定するためのネジ孔６６ａが形成される。尚、垂直面６６は掛止具６０の上面６２位置まで形成せず上面６２側を開口させるとともに上面６２の奥側を切り欠いて、掛止具６０の奥側上部に開口部Ａを形成することが好ましい。そして、この開口部Ａを有することで、開口部Ａを通して位置調整ネジ５０をスリット６４に容易に挿入することができる。また、掛止具６０の高さ寸法は壁面取付金具３０の側面３４の高さと略同等かそれよりも長く形成し、掛止具６０の下面６１の位置を本体部３２の下面の位置よりも常に下とする。
【００１４】
次に、本発明に係るレンジフード取付具８０の使用方法を説明する。先ず、レンジフード本体１０の上面奥側の左右には掛止具６０が固定されている。この掛止具６０の固定は、掛止具６０の下面６１に形成されたネジ孔６１ａを用い周知のネジ部材等によって行う。次に、作業者は壁面１の所定の位置に壁面取付金具３０を略水平に取り付ける。この壁面取付金具３０の取り付けは取付部４０の垂直部４４に形成されたネジ孔４４ａを用い、木ネジ等の周知のネジ部材によって行う。次に、取付部４０の貫通孔４２ａに位置調整ネジ５０を設置する。尚、貫通孔４２ａはボルト５０ａの頭部よりも小さく、且つボルト５０ａのネジ部よりも大径なため、位置調整ネジ５０は水平部４２から回転可能な状態で垂下する。
【００１５】
次に、作業者はレンジフード本体１０に固定した左右の掛止具６０を壁面取付金具３０の左右の取付部４０の下方に位置させる。そして、掛止具６０の開口部Ａから位置調整ネジ５０のナット５０ｂを通し、ネジ部をスリット６４に挿入する。これによりスリット６４はナット５０ｂにより掛止され、掛止具６０は図４に示すように取付部４０から垂下した位置調整ネジ５０によって保持される。このとき、左右の掛止具６０は壁面取付金具３０のコーナー空間Ｂに位置する。
【００１６】
次に、作業者は位置調整ネジ５０のボルト５０ａを回す。これにより、ナット５０ｂの位置（掛止位置）がボルト５０ａのネジ部に沿って上下方向に移動する。これにより、ナット５０ｂによって掛止されている掛止具６０も上下方向に移動し、レンジフード本体１０の上下位置及び水平度が変化する。そして、作業者は位置調整ネジ５０を調節してレンジフード本体１０を所定の高さ位置に移動させるとともに、レンジフード本体１０が水平となるように左右の位置調整ネジ５０を調節する。そして、レンジフード本体１０が水平となった状態で掛止具６０を壁面１に固定する。このときの掛止具６０の固定は、掛止具６０の垂直面６６に形成されたネジ孔６６ａを用い周知の木ネジ等によって行う。この際、掛止具６０は内側に凸の略コ字状を呈しているため、ドライバーによるネジ止めを問題無く行うことができる。これにより、掛止具６０が壁面１に固定され、レンジフード本体１０の壁面１への固定が完了する。
【００１７】
以上のように、本発明に係るレンジフード取付具８０は、壁面取付金具３０を壁面に固定し、レンジフード本体１０に掛止具６０を固定し、この壁面取付金具３０と掛止具６０とを位置調整ネジ５０によって接続する。このため、壁面取付金具３０を上下方向にスライド移動させる必要が無く、取り付け位置にクリアランスを必要としない。従って、壁面取付金具３０を壁面の上端に接して固定することが可能となり、クリアランスが確保できない壁面であってもレンジフード本体１０を問題無く設置することができる。また、本発明に係るレンジフード取付具８０は、前述のように壁面取付金具３０を壁面に固定した後、この壁面取付金具３０にレンジフード本体１０を設置する。従って、設置の前段階においては壁面取付金具３０のみを壁面に固定する。このため、壁面取付金具３０の固定を楽に行える他、壁面取付金具３０の水平度も取りやすい。
【００１８】
また、本発明に係るレンジフード取付具８０は、位置調整ネジ５０側でレンジフード本体１０の水平度を調整することができる。このため、仮に壁面取付金具３０を水平に固定できなかった場合でも、位置調整ネジ５０側でこの差を修正しレンジフード本体１０を水平に保持することができる。従って、従来の取付金具６のように水平度の調整のためにビス７を打ち直す必要がなく、壁面への無用なネジ孔の形成を防止することができる。さらに、位置調整ネジ５０は従来の取付金具６よりも微細な位置調整が可能であるため、レンジフード本体１０の水平度の調整を容易かつ高精度に行うことができる。
【００１９】
さらにまた、本発明に係るレンジフード取付具８０の掛止具６０は、奥側上部に開口部Ａを有し、またスリット６４の両側に抜け止め片６５が形成されている。これにより、掛止具６０を位置調整ネジ５０に引掛け易く、また引掛けた後は抜けにくい。このため、作業性が良く、レンジフード本体１０の設置作業を効率良く楽に行うことができる。
【００２０】
尚、本例で示したレンジフード取付具８０の壁面取付金具３０、掛止具６０、位置調整ネジ５０等の各部の形状、デザイン、寸法等は一例であり上記の例に限定されるわけでは無く、本発明は本発明の要旨を逸脱しない範囲で変更して実施することが可能である。
【符号の説明】
【００２１】
１      壁面
１０    レンジフード本体
３０    壁面取付金具
３２    本体部
３４    側面
４０    取付部
４２    水平部
５０    位置調整ネジ
６０    掛止具
６１    下面
６２    上面
６４    スリット
６５    抜け止め片
６６    垂直面
６６ａ  ネジ孔
８０    レンジフード取付具
Ｂ      コーナー空間
【図１】
2018128210.tif 000003
【図２】
2018128210.tif 000004
【図３】
2018128210.tif 000005
【図４】
2018128210.tif 000006
【図５】
2018128210.tif 000007